(57)【要約】  本発明の実施例は、移動局、基地局及び無線通信方法を提供する。本発明の一態様に係る移動局は、少なくとも１つの参照信号リソースを指示する情報及び測定窓の配置を指示する測定窓情報を受信する受信部と、前記リソースを指示する情報及び前記測定窓情報に基づいて、プリコーディングが適用された参照信号を測定し、測定結果を生成する測定部と、当該測定結果を送信する送信部と、を有することを特徴とする。
2016182072.tif 000002
【特許請求の範囲】
【請求項１】
少なくとも１つの参照信号リソースを指示する情報及び測定窓の配置を指示する測定窓情報を受信する受信部と、
前記リソースを指示する情報及び前記測定窓情報に基づいて、プリコーディングが適用された参照信号を測定し、測定結果を生成する測定部と、
当該測定結果を送信する送信部と、を有することを特徴とする移動局。
【請求項２】
前記受信部は、複数の測定窓情報を受信し、
前記測定部は、測定窓ごとに前記測定結果を生成することを特徴とする請求項１に記載の移動局。
【請求項３】
前記受信部は、前記参照信号を送信するためのアンテナポートを指示するポート情報を受信し、
前記測定部は、前記ポート情報に基づいて、前記アンテナポートを確定することを特徴とする請求項１又は請求項２に記載の移動局。
【請求項４】
前記受信部は、コードブックを指示するコードブック情報を受信し、
前記送信部は、前記ポート情報と前記コードブック情報とを使用して確定した所定のコードブックに基づく測定結果を基地局に送信することを特徴とする請求項３に記載の移動局。
【請求項５】
プリコーディングにより参照信号に対応するビームを生成するプリコーディング部と、
少なくとも１つの参照信号リソースを指示する情報及び測定窓の配置を指示する測定窓情報を、前記プリコーディングが適用された参照信号を測定させるために移動局に送信する送信部と、を有することを特徴とする基地局。
【請求項６】
少なくとも１つの参照信号リソースを指示する情報及び測定窓の配置を指示する測定窓情報を受信するステップと、
前記リソースを指示する情報及び前記測定窓情報に基づいて、プリコーディングが適用された参照信号を測定し、測定結果を生成するステップと、
当該測定結果を送信するステップと、を含む無線通信方法。
【発明の詳細な説明】
【技術分野】
【０００１】
本発明は、移動局、基地局及び無線通信方法に関する。より具体的に、本発明は、マルチアンテナ技術に基づく移動局、基地局及び無線通信方法に関する。
【背景技術】
【０００２】
ＭＩＭＯ技術では、ダイバーシティや多重化方式でデータ伝送を行うように複数本のアンテナを配置することで、ワイヤレスネットワークでのキャパシティーを明らかに向上する。従来の通信システムでは、通常、一次元アレイのように配列される複数本のアンテナを基地局に設置することで、水平次元において複数のユーザー装置（ＵＥ）を区別する。例えば、基地局には、複数のＵＥと同時に通信するための４本の発射アンテナが設置され、且つ該４本の発射アンテナが４×１の一次元アレイのように配列されてもよい。【０００３】
ところが、例えばマクロセルとスモールセルなどの三次元セル環境においては、ＵＥが異なる高度に位置する。例えば、建物の異なる階には複数のＵＥが分布される。この場合に、既存の、水平次元のみにおいて複数のＵＥを区分する線形アレイは、異なる高さに位置する複数のＵＥを正確に区分することが難しい。これに鑑みて、基地局と移動局との間の信号伝送品質をさらに向上して無線通信システムのスループットを増加するために、三次元ビームフォーミング技術が提案されており、それによって、垂直次元で空間ダイバーシティを拡張することが可能となる。【０００４】
三次元ビームフォーミング技術では、基地局が二次元アンテナアレイを使用して移動局と通信する。一次元アンテナと比べて、二次元アンテナアレイは、水平次元でアンテナを配備して水平ビーム制御を行うことに加えて、垂直次元（高度方向）でアンテナを配備してビーム制御を行うことで、三次元ビームフォーミングを実現する。三次元ビームフォーミングによって、より高いビームフォーミングゲインを得ることができ、且つ異なる位置（特に異なる高度位置）に位置する移動局が良好な信号伝送品質を得るようにする。【０００５】
一方、基地局が移動局に下りリンクデータを送信する前に、チャネル推定が必要となる。具体的に、移動局は、基地局から送信されるチャネル状態情報−参照信号（ＣＳＩ−ＲＳ）に従ってチャネル推定を行い、且つチャネル推定結果を基地局にフィードバックし、基地局が該チャネル推定結果に基づいて下りリンクデータを送信する。従来の通信システムにおいては、基地局により送信されるＣＳＩ−ＲＳは、ビームフォーミングされない、つまり、基地局が各方向において送信するＣＳＩ−ＲＳが同じである。
【発明の概要】
【発明が解決しようとする課題】
【０００６】
基地局が各方向において送信するＣＳＩ−ＲＳが同じであり、且つ全ての移動局に対して送信されるＣＳＩ−ＲＳが同じであるので、従来の通信システムにおいては、移動局は、基地局から送信されるＣＳＩ−ＲＳに従って異なるビームゲインを測定して異なるビームに対する正確なチャネル推定を得ることができない。また、従来の通信システムにおいては、基地局は、接続される全ての移動局に対し、同じＣＳＩ−ＲＳを送信する。
【課題を解決するための手段】
【０００７】
本発明の一態様に係る移動局は、少なくとも１つの参照信号リソースを指示する情報及び測定窓の配置を指示する測定窓情報を受信する受信部と、前記リソースを指示する情報及び前記測定窓情報に基づいて、プリコーディングが適用された参照信号を測定し、測定結果を生成する測定部と、当該測定結果を送信する送信部と、を有することを特徴とする。【０００８】
本発明の１つの方面によれば、基地局によって実行される情報送信方法を提供し、前記情報送信方法は、移動局のチャネル方向を取得することと、取得されたチャネル方向に従って、プリコーディングにより参照信号に対応するビームを生成することと、予め設定された複数の参照信号リソースから、生成されたビームを送信するための少なくとも１つの参照信号リソースを選択することと、選択された参照信号リソースを指示する情報を移動局に送信して、少なくとも１つの参照信号リソースを使用して送信されたビームを、移動局が前記情報に基づいて測定するようにさせることと、を含む。【０００９】
本発明の１つの方面によれば、移動局によって実行されるビーム測定方法を提供し、前記ビーム測定方法は、当該移動局のための少なくとも１つの参照信号リソースを指示する情報を基地局から受信し、その中に、少なくとも１つの参照信号リソースは、予め設定された複数の参照信号リソースから基地局により選択されるものであることと、前記情報に基づいて、前記少なくとも１つの参照信号リソースを使用して送信されるビームを測定し、測定結果を生成することと、基地局に測定結果を送信することと、を含む。【００１０】
本発明の１つの方面によれば、基地局を提供し、前記基地局は、移動局のチャネル方向を取得するように構成される方向取得部と、取得されたチャネル方向に従って、プリコーディングにより参照信号に対応するビームを生成するように構成されるプリコーディング部と、予め設定された複数の参照信号リソースから、生成されたビームを送信するための少なくとも１つの参照信号リソースを選択するように構成されるリソース選択部と、選択された参照信号リソースを指示する情報を移動局に送信して、少なくとも１つの参照信号リソースを使用して送信されるビームを、移動局が前記情報に基づいて測定するようにさせるように構成される送信部と、を含む。【００１１】
本発明の１つの方面によれば、移動局を提供し、前記移動局は、該移動局のための少なくとも１つの参照信号リソースを指示する情報を基地局から受信し、その中に、前記少なくとも１つの参照信号リソースは、予め設定された複数の参照信号リソースから基地局により選択されるものであるように構成される受信部と、前記情報に基づいて、前記少なくとも１つの参照信号リソースを使用して送信されるビームを測定し、測定結果を生成するように構成される測定部と、基地局に測定結果を送信するように構成される送信部と、を含む。
【発明の効果】
【００１２】
本発明の上記方面による方案では、基地局は、各移動局の方向に従って、参照信号をプリコーディングして参照信号に対応するビームを生成し、且つ生成されるビームを送信するための少なくとも１つの参照信号リソースを該移動局に通知し、それで、各移動局は、基地局が少なくとも１つの参照信号リソースを使用して送信する該移動局についてのビームに従って、各ビームのゲインを測定することで、より正確なチャネル推定結果を取得した。また、基地局は、該移動局についてのビームを送信するための少なくとも１つの参照信号リソースのみを該移動局に通知するので、各ビームのゲインの測定を実現するために必要なシグナリングオーバーヘッドを減少した。
【図面の簡単な説明】
【００１３】
図面を結合しながら本発明の実施例を詳しく記述することで、本発明の上記と他の目的、特徴、利点がより明らかになる。
【図１】本発明の実施例による情報送信方法を示すフローチャートである。
【図２】生成されるビームを送信するための参照信号リソースの例示ケースを示す説明図である。
【図３】基地局が図２に示すプリコーディング方式を変更した例示ケースを示す説明図である。
【図４】本発明の他の一つの実施例によるビーム測定方法を記述したフローチャートである。
【図５】本発明の実施例による基地局を示すブロック図である。
【図６】本発明の実施例による移動局を示すブロック図である。
【発明を実施するための形態】
【００１４】
以下、図面を参照しながら、本発明の実施例による情報送信方法、ビーム測定方法、移動局と基地局を記述する。図面の中に、同じ参照符号は、常に同じ素子を表す。ここで記述される実施例は、説明のためのものであり、本発明の範囲を限定するものと解釈されるべきではないと理解すべきである。
【００１５】
図１は、本発明の１つの実施例による情報送信方法１００を記述するフローチャートである。情報送信方法１００は、基地局によって実行されてもよい。本発明の１つの例示によれば、基地局には、アンテナアレイが配置されることにより、空間領域の水平次元及び／又は垂直次元においてダイバーシティを行う。以下、図１を参照しながら、本発明の１つの実施例による情報送信方法１００を記述する。
【００１６】
通信システムにおいては、予め設定される参照信号リソースの数が多い場合に、それぞれの移動局が全てのＣＳＩ−ＲＳリソースでの参照信号に対応するビームを受信し、且つ前記ビームに基づいてチャネル推定を行うと、移動局が大量な計算を行う必要があり、且つ大量ビームのチャネル状態情報を報告する必要があり、それによって、高い計算複雑度と大きな作業負荷を齎す。一方、各ＣＳＩ−ＲＳリソースでの参照信号に対応するビームは、異なる方向を有するが、ある位置に位置する移動局にとっては、方向が自分の所在位置と遠く離れるビームを受信しなくても構わない。
【００１７】
上記の認識に基づいて、本発明の実施例では、基地局は、予め設定されるＣＳＩ−ＲＳリソースから一部のＣＳＩ−ＲＳリソースを選択し、且つそれを移動局に通知する。移動局は、通知されるＣＳＩ−ＲＳリソースでのビームのみに対し、チャネル推定を行う。具体的に、図１に示すように、ステップＳ１０１において、移動局のチャネル方向を取得する。例えば、基地局は、サウンディング参照信号（Ｓｏｕｎｄｉｎｇ  ｒｅｆｅｒｅｎｃｅ  ｓｉｇｎａｌ；ＳＲＳ）に従って、移動局の上りチャネルを推定し、且つ上りチャネルと下りチャネルとの相互性に基づいて下りチャネルを導出し、それで、移動局のチャネル方向を取得する。
【００１８】
もう１つの例として、基地局は、まず、既存のビームフォーミングが適用されないＣＳＩ−ＲＳを移動局に送信し、それで、移動局がその方向識別子（ＣＤＩ）を報告し、そして、ＣＤＩに従って移動局のチャネル方向を取得する。
【００１９】
もう１つの例として、基地局は、ビームフォーミングされたディスカバリ参照信号（Ｄｉｓｃｏｖｅｒｙ  Ｒｅｆｅｒｅｎｃｅ  Ｓｉｇｎａｌ；ＤＲＳ）を移動局に送信し、それで、選択される参照信号受信電力（Ｒｅｆｅｒｅｎｃｅ  Ｓｉｇｎａｌ  Ｒｅｃｅｉｖｅｄ  Ｐｏｗｅｒ；ＲＳＲＰ）を移動局が報告するようにさせ、そして、移動局から報告されるＲＳＲＰ測定に従って、移動局のチャネル方向を取得する。
【００２０】
ステップＳ１０２において、基地局は、取得したチャネル方向に従って、プリコーディングにより、参照信号（例えば、ＣＳＩ−ＲＳ）に対応するビームを生成する。例えば、移動局が同じセル内の異なる位置に位置する時に、各位置において移動局のチャネル方向が異なるので、移動局のチャネル方向に従って生成される参照信号に対応するビームも異なる。
【００２１】
ステップＳ１０３において、予め設定される複数の参照信号リソースから、生成されるビームを送信するための少なくとも１つの参照信号リソースを選択する。例えば、基地局は、予め設定される複数のＣＳＩ−ＲＳリソース（以下、説明の便宜上、Ｎ１（Ｎ１は１より大きな自然数）個のＣＳＩ−ＲＳリソースを想定する）から、少なくとも１つのＣＳＩ−ＲＳリソース（以下、説明の便宜上、Ｎ２（Ｎ２は自然数）個のＣＳＩ−ＲＳリソースを想定する）を選択し、該移動局のために配置されるＣＳＩ−ＲＳリソースとする。本発明の１つの例示によれば、Ｎ２が１であってもよい。
【００２２】
例えば、基地局が移動局のチャネル方向情報に従って該移動局に最適な１つのビームを確定することができる時に、基地局は、プリコーディングによって、移動局に対する、１つの方向での特定ビームを生成し、且つ予め設定されるＮ１個の参照信号リソースから、該ビームを送信するための１つの参照信号リソースを選択する。
【００２３】
本発明のもう１つの例示によれば、Ｎ２が１より大きくＮ１より小さくてもよい。例えば、基地局は、移動局のチャネル方向情報に従って、該移動局に適する複数のビームを推定するが、該移動局に最適なビームを確定することができない時に、基地局は、プリコーディングによって、移動局に対する、複数の方向でのビームを生成し、且つ予め設定されるＮ１個の参照信号リソースから、該複数のビームをそれぞれに送信するための複数の参照信号リソースを選択する。よって、移動局は、複数の参照信号リソースで送信されるビームに対して測定を行うことで、該移動局に適する最尤方向を選択する。
【００２４】
図２は、生成されるビームを送信するための参照信号リソースの例示ケースを示す説明図である。図２に示すように、基地局２１０が特定移動局のチャネル方向に従って生成した参照信号に対応するビームは、ビーム２２０、２３０、２４０、及び２５０とする。ステップＳ１０３によって、基地局は、サブフレームｉでの参照信号リソースブロック２６０を使用してビーム２２０を送信し、参照信号リソースブロック２７０を使用して送信ビーム２３０を送信し、参照信号リソースブロック２８０を使用してビーム２４０を送信し、且つ参照信号リソースブロック２９０を使用してビーム２５０を送信するように選択する。
【００２５】
図１に戻って、ステップＳ１０４において、選択される参照信号リソースを指示する情報を移動局に送信し、移動局は、前記情報に基づいて、少なくとも１つの参照信号リソースを使用して送信されるビームを測定する。例えば、選択される参照信号リソースを指示する情報は、該参照信号リソースに対応する時間リソース配置、周波数リソース配置、及び／又はコーディングリソース配置などを含んでもよい。
【００２６】
基地局は、周期的に又は非周期的に、参照信号リソースを使用して参照信号に対応するビームを複数回送信する。測定の正確性を確保するために、移動局は、通常、同一の参照信号リソースによって送信されるビームに対し、測定を複数回行い、且つ複数の測定値を取得し、そして、取得した複数の測定値に対し統計的処理（例えば、取得した複数の測定値を平均化する処理、結合処理、合成処理など）を行うことで、該参照信号リソースによって送信されるビームの最終の測定結果を計算する。
【００２７】
ところが、基地局は、参照信号に対するプリコーディング方式を変更することができ、それにより生成される参照信号に対応するビームが相応的に変更する。この場合に、同じ参照信号リソースによって送信されるビームが変化する可能性もある。図３は、基地局が図２に示すプリコーディング方式を変更した例示ケースを示す説明図である。
【００２８】
図３に示すように、プリコーディング方式を変更した後に、基地局２１０によって生成される参照信号に対応するビームは、ビーム２２０、２３０、２４０、及び２５０から、ビーム２４０、２５０、３１０、及び３２０に変更される。図３に示す例示では、基地局２１０は、前にビーム２４０を送信する参照信号リソースブロック２８０を使用してビーム３１０を送信し、前にビーム２５０を送信する参照信号リソースブロック２９０を使用してビーム３２０を送信する。一方、測定される特定参照信号リソースでのビームが変化すれば、移動局が該参照信号リソースにおいてビームの変更前後の測定値に対し統計的処理を行って取得する測定結果は、不正確である。
【００２９】
これに鑑みて、本発明の１つの例示によれば、ステップＳ１０４において、移動局に送信される情報は、複数の測定窓の配置を指示する測定窓情報を含んでもよく、その中に、１つの測定窓において、基地局がプリコーディング方式を変更しない、つまり、特定参照信号リソースを使用して送信されるビームを変更しない。また、複数の測定窓が互いに重畳しない。移動局は、基地局によって送信される測定窓情報に従って、同じ測定窓において特定参照信号リソースによって送信されるビームの複数の測定値に対し統計的処理を行うとともに、異なる測定窓において特定参照信号リソースによって送信されるビームの複数の測定値に対し統計的処理を行うことを回避する。
【００３０】
例えば、測定窓は、時間領域での測定窓であってもよく、周波数領域での測定窓であってもよい。もう１つの例として、測定窓情報は、測定窓の開始位置と測定窓の長さとを含んでもよい。サブフレームの開始位置とサブフレーム開始位置に対する偏移量とによって、測定窓の開始位置を通知してもよい。また、測定窓情報は、各リソース窓に含まれるリソースブロックの数を含んでもよい。例えば、周波数領域での測定窓に対する測定窓情報は、各リソース窓に含まれる周波数ブロックの数ｋを含んでもよく、その中に、ｋが１より大きな自然数である。移動局は、測定窓情報に従って、基地局で使用される周波数帯域の全体が複数の測定窓に均分され、且つ各測定窓がｋ個の周波数ブロックを含むことを確定することができる。
【００３１】
代わりに、本発明のもう１つの例示によれば、ステップＳ１０４において移動局に送信される情報は、統計的処理指示情報を含んでもよく、前記統計的処理指示情報は、移動局が各ビームの複数の測定結果に対して統計的処理するか否かを指示する。例えば、統計的処理指示情報は、統計的処理しないように指示し、それによって、移動局は、該情報に従って、各ビームの複数の測定結果に対して何れかの形式の統計的処理も行わないようにする。
【００３２】
また、基地局は、少なくとも２つのアンテナポートによって、参照信号に対応するビームを送信する。本発明のもう１つの例示によれば、ステップＳ１０４において移動局に送信される情報は、ポート情報を含んでもよく、前記ポート情報は、移動局のチャネル方向に従って生成されるビームを送信するためのアンテナポートを指示する。本発明の１つの例示によれば、送信ビームの各アンテナポートは、一つの偏波方向を表す。よって、移動局は、ポート情報に従って、ビームに対する測定結果をフィードバックする時に使用すべきコードブックを確定する。
【００３３】
ところが、第三世代パートナーシッププロジェクト（３ＧＰＰ）技術仕様の一部（例えば、３ＧＰＰ  Ｒｅｌ．８、３ＧＰＰ  Ｒｅｌ．１２）では、同一のアンテナポートサイズであっても、異なるコードブックを有してもよい。これに鑑みて、本発明のもう１つの例示によれば、ステップＳ１０４において、移動局に送信される情報は、移動局がビームに対する測定結果をフィードバックする時に使用すべきコードブックを指示するコードブック情報を含んでもよい。
【００３４】
さらにシグナリングオーバーヘッドを減少し且つ柔軟性を向上するために、本発明のもう１つの例示によれば、ステップＳ１０４で移動局に送信される情報は、少なくとも２つの部分を含む。具体的に、移動局に送信される情報は、第一リソース情報を含んでもよく、前記第一リソース情報は、選択された少なくとも一つの参照信号リソースのリソース番号リストと、移動局によりその測定結果を報告する必要があるビームの数とを指示する。より具体的に、予め設定される複数の参照信号での各信号は、対応のリソース番号を有する。第一リソース情報には、特定移動局のために選択される参照信号リソースのリソース番号リストのみを含む。
【００３５】
また、移動局に送信される情報は、第二リソース情報を含んでもよい。第二リソース情報は、第一リソース情報に含まれるリソース番号で指示される各参照信号の送信リソース情報を含み、その中に、送信リソース情報は、参照信号に対応するビームを送信する時間、周波数又はコーディングリソースの情報であってもよい。第二リソース情報は、予め設定される複数の参照信号リソースに関する送信リソース情報を含んでもよい。
【００３６】
また、第一リソース情報は、全ての参照信号リソースに適用する情報を含んでもよく、且つ第二リソース情報は、上記ステップＳ１０１ないしＳ１０３によって特定移動局について選択される参照信号リソースのみに適用する情報を含んでもよい。例えば、基地局によって設定される測定窓が全ての参照信号リソースに適用される時に、第一リソース情報が上記測定窓情報を含んでもよく、基地局によって設定される測定窓が特定移動局について選択される参照信号リソースのみに適用される時に、第二リソース情報が上記測定窓情報を含んでもよい。
【００３７】
類似的に、ビームを送信するアンテナポートと移動局でビームに対する測定結果をフィードバックする時に使用すべきコードブックとが全ての参照信号リソースに適用する時に、第一リソース情報が上記ポート情報とコードブック情報とを含んでもよく、ビームを送信するアンテナポートと移動局でビームに対する測定結果をフィードバックする時に使用すべきコードブックが特定移動局について選択される参照信号リソースのみに適用する時に、第二リソース情報が上記ポート情報とコードブック情報とを含んでもよい。
【００３８】
また、選択的に、ステップＳ１０４で移動局に送信される情報は、臨時リソース情報を含んでもよく、前記臨時リソース情報は、前記第一リソース情報と前記第二リソース情報とに対する臨時変更を指示する。例えば、必要がある時に、臨時リソース情報は、測定窓に対する再設定を指示してもよい。各ユーザーについて臨時リソース情報を送信してもよい。代わりに、各セル又は特定のユーザーセットについて臨時リソース情報を送信してもよい。また、本発明の１つの例示によれば、ＲＲＣシグナリングによって、第一リソース情報と第二リソース情報とを送信し、且つ送信の頻度がＲＲＣシグナリングより高いＤＣＩシグナリングの送信によって、臨時リソース情報を送信してもよい。
【００３９】
本発明の上記実施例による無線通信方法では、基地局は、各移動局の方向に従って、参照信号をプリコーディングして参照信号に対応するビームを生成し、且つ生成されるビームを送信するための少なくとも１つの参照信号リソースを該移動局に通知する。各移動局は、通知された参照信号リソースを使用して送信される、該移動局についてのビームに従って、各ビームのゲインを測定することで、より正確なチャネル推定結果を取得できる。また、基地局は、該移動局についてのビームを送信するための少なくとも１つの参照信号リソースのみを該移動局に通知するので、各ビームのゲインの測定を実現するために必要なシグナリングオーバーヘッドを減少できる。
【００４０】
図４は、本発明の他の１つの実施例によるビーム測定方法４００を記述したフローチャートである。ビーム測定方法４００は、移動局によって実行されてもよい。ビーム測定方法４００では、移動局は、該移動局のための少なくとも１つの参照信号リソースを指示する情報に従って測定を行ってもよく、その中に、少なくとも１つの参照信号リソースを指示する情報は、以上図１から図３で記述した情報送信方法によって、基地局から送信されるものであってもよい。
【００４１】
以下、図４を参照しながら、本発明の１つの実施例によるビーム測定方法４００を記述する。図４に示すように、ステップＳ４０１において、移動局は、該移動局のための少なくとも１つの参照信号リソースを指示する情報を基地局から受信する。ここで、前記少なくとも１つの参照信号リソースは、基地局によって、予め設定される複数の参照信号リソースから選択されるものである。
【００４２】
ステップＳ４０２において、移動局は、ステップＳ４０１で受信した情報に基づいて、前記少なくとも１つの参照信号リソースを使用して送信されるビームを測定し、測定結果を生成する。例えば、選択される参照信号リソースを指示する情報は、該参照信号リソースに対応する時間リソース配置、周波数リソース配置、及び／又はコーディングリソース配置を含んでもよい。ステップＳ４０２において、移動局は、受信した情報で指示される時間リソース配置、周波数リソース配置、及び／又はコーディングリソース配置に従って、基地局によって相応のリソース上で送信される参照信号に対応するビームを測定する。
【００４３】
上記のように、本発明の１つの例示によれば、移動局のための少なくとも１つの参照信号リソースを指示する情報は、第一リソース情報と第二リソース情報とを含んでもよい。この場合に、移動局は、まず、第一リソース情報に従って、測定の必要がある参照信号リソースのリソース番号を確定し、且つ該リソース番号に従って、第二リソース情報の中で該番号に対応する参照信号リソースの具体的な情報を取得する。
【００４４】
また、本発明のもう１つの例示によれば、ステップＳ４０２において、移動局は、参照信号リソースごとに、該参照信号リソースを使用して送信される参照信号を複数回測定することで、一セットの測定値を取得してもよい。そして、取得される複数の測定値を統計的処理することで、該参照信号リソースによって送信されるビームの最終の測定結果を計算する。取得される複数の測定値を平均化して、測定結果を取得してもよい。代わりに、複数の測定値に対して重み付き加算などの処理を行って、測定結果を取得してもよい。また、移動局は、所定の周期で、ステップＳ４０１で受信された情報に指示される特定周波数上でのビームを複数回測定してもよい。
【００４５】
移動局で統計的処理される複数の測定結果が同じビームの測定結果であることを確保するために、ステップＳ４０１で受信された情報は、複数の測定窓の配置を指示する測定窓情報を含んでもよい。上記のように、１つの測定窓において、少なくとも１つの参照信号リソースを使用して送信されるビームが不変である。ステップＳ４０２において、参照信号リソースごとに、同じ測定窓において取得される複数の測定値に対して統計的処理することで、該参照信号リソース上での参照信号の測定結果を生成し、且つ、異なる測定窓において取得される複数の測定値については統計的処理しない。また、好ましくは、参照信号リソースを使用して送信されるビームに対する測定回数が前記測定窓情報に指示される測定回数上限に到達する時に、測定値の履歴データを消去し、新たな測定窓においてビームの測定結果への影響を回避する。
【００４６】
代わりに、本発明のもう１つの例示によれば、ステップＳ４０１で受信された情報は、統計的処理指示情報を含んでもよく、前記統計的処理指示情報は、移動局が各ビームの複数の測定値に対して統計的処理するか否かを指示する。例えば、統計的処理指示情報が統計的処理しないように指示する時に、ステップＳ４０２において、移動局は、該情報に従って、各ビームの複数の測定値に対して何れかの形式の統計的処理を行わないようにしてもよい。
【００４７】
ステップＳ４０３において、測定結果を基地局に送信する。本発明の１つの例示によれば、ステップＳ４０１で受信された情報は、ポート情報を含んでもよく、前記ポート情報は、参照信号に対応するビームを送信するためのアンテナポートを指示する。移動局は、ポート情報に従って、ビームを送信するためのアンテナポートを確定し、そして、基地局に測定結果のためのコードブックをさらに確定する。また、本発明のもう１つの例示によれば、ステップＳ４０１で受信された情報は、コードブック情報を含んでもよい。同一のアンテナポートに対して異なるコードブックが存在する時に、移動局は、ポート情報とコードブック情報とを使用して、測定結果を送信するためのコードブックを確定する。ステップＳ４０３において、確定されるコードブックに基づく測定結果を基地局に送信する。
【００４８】
本発明の上記実施例による無線通信方法では、移動局は、全ての参照信号リソース上でのビームを使用して測定する必要がなく、自端末に関連する参照信号リソースを使用して送信される各ビームのみを測定するので、移動局は、大量な計算を行わなくても、各ビームに対する正確なチャネル推定結果を取得することができる。測定されるビームが減少するので、移動局は、基地局に報告する必要がある測定結果（例えば、チャネル状態情報）も相応的に減少する。
【００４９】
以下、図５を参照しながら、本発明の実施例による基地局を記述する。図５は、本発明の実施例による基地局５００のブロック図を示す。図５に示すように、基地局５００は、方向取得部５１０、プリコーディング部５２０、リソース選択部５３０、及び送信部５４０を含む。これらの４つの部の他に、基地局５００は、他の手段を含んでもよく、例えば、データ信号や制御信号に対して各種の処理を行う手段を含んでもよいが、これらの手段は、本発明の実施例の内容に関係がないので、ここで、それらの図示と記述とを省略する。また、本発明の実施例による基地局５００が実行する下記操作の詳細は、上文で図１−３を参照して記述した詳細と同じであるので、ここで、重複を回避するために、同じ詳細の記述を省略する。
【００５０】
方向取得部５１０は、移動局のチャネル方向を取得する。例えば、方向取得部５１０は、ＳＲＳに従って、移動局の上りチャネルを推定し、且つ上りチャネルと下りチャネルとの相互性に基づいて下りチャネルを導出し、それで、移動局のチャネル方向を取得する。
【００５１】
もう１つの例として、方向取得部５１０は、まず、既存の、ビームフォーミングされないＣＳＩ−ＲＳを移動局に送信する。当該ＣＳＩ−ＲＳを用いて、移動局は方向識別子（ＣＤＩ）を報告する。そして、方向取得部５１０は、ＣＤＩに従って移動局のチャネル方向を取得する。
【００５２】
もう１つの例として、方向取得部５１０は、ビームフォーミングされたディスカバリ参照信号（ＤＲＳ）を移動局に送信する。当該ＤＲＳを用いて、移動局は、選択される参照信号受信電力（Ｒｅｆｅｒｅｎｃｅ  Ｓｉｇｎａｌ  Ｒｅｃｅｉｖｅｄ  Ｐｏｗｅｒ；ＲＳＲＰ）を報告する。そして、方向取得部５１０は、移動局から報告されるＲＳＲＰに従って測定することで、移動局のチャネル方向を取得する。
【００５３】
プリコーディング部５２０は、取得されるチャネル方向に従って、プリコーディングによって、参照信号（例えば、ＣＳＩ−ＲＳ）に対応するビームを生成する。移動局が同じセル内の異なる位置に位置する時に、各位置において移動局のチャネル方向が異なるので、プリコーディング部５２０により移動局のチャネル方向に従って生成される参照信号に対応するビームも異なる。
【００５４】
リソース選択部５３０は、予め設定される複数の参照信号リソースから、生成されるビームを送信するための少なくとも１つの参照信号リソースを選択する。具体的に、リソース選択部５３０で選択される参照信号リソースの数は、予め設定される複数の参照信号リソースの数より小さい。そして、送信部５４０は、指示リソース選択部５３０によって選択される参照信号リソースを指示する情報を移動局に送信し、移動局は、前記情報に基づいて、少なくとも１つの参照信号リソースを使用して送信されるビームを測定する。例えば、選択される参照信号リソースを指示する情報は、該参照信号リソースに対応する時間リソース配置、周波数リソース配置、及び／又はコーディングリソース配置等を含んでもよい。
【００５５】
本発明の１つの例示によれば、移動局に送信される情報は、複数の測定窓の配置を指示する測定窓情報を含んでもよく、その中に、１つの測定窓において、基地局は、プリコーディング方式を変更しない、つまり、特定参照信号リソースを使用して送信されるビームを変更しない。また、複数の測定窓が互いに重畳しない。移動局は、基地局によって送信される測定窓情報に従って、同じ測定窓において特定参照信号リソースによって送信されるビームの複数の測定値に対し統計的処理を行うとともに、異なる測定窓において特定参照信号リソースによって送信されるビームの複数の測定値に対し統計的処理を行うことを回避する。
【００５６】
例えば、測定窓は、時間領域での測定窓であってもよく、周波数領域での測定窓であってもよい。もう１つの例として、測定窓情報は、測定窓の開始位置と測定窓の長さとを含んでもよい。サブフレームの開始位置とサブフレーム開始位置に対する偏移量とによって、測定窓の開始位置を通知してもよい。また、測定窓情報は、各リソース窓に含まれるリソースブロックの数を含んでもよい。例えば、周波数領域での測定窓に対する測定窓情報は、各リソース窓に含まれる周波数ブロックの数ｋ（ｋは１より大きな自然数）を含んでもよい。移動局は、測定窓情報に従って、基地局で使用される周波数帯域の全体が複数の測定窓に均分され、且つ各測定窓がｋ個の周波数ブロックを含むことを確定することができる。
【００５７】
代わりに、本発明のもう１つの例示によれば、移動局に送信される情報は、統計的処理指示情報を含んでもよく、前記統計的処理指示情報は、移動局が各ビームの複数の測定結果に対して統計的処理するか否かを指示する。例えば、統計的処理指示情報は、統計的処理しないように指示し、それによって、移動局は、該情報に従って、各ビームの複数の測定結果に対して何れかの形式の統計的処理も行わないようにする。
【００５８】
また、基地局５００は、少なくとも２つのアンテナポートによって、参照信号に対応するビームを送信する。例えば、ビームを送信するアンテナポートのそれぞれが１つの偏波方向を表す。本発明の１つの例示によれば、移動局に送信される情報は、ポート情報を含んでもよく、前記ポート情報は、移動局のチャネル方向に従って生成されるビームを送信するためのアンテナポートを指示する。よって、移動局は、ポート情報に従って、ビームに対する測定結果をフィードバックする時に使用すべきコードブックを確定する。また、本発明のもう１つの例示によれば、移動局に送信される情報は、コードブック情報を含んでもよい。よって、同一のアンテナポートについて異なるコードブックが存在する場合に、移動局は、ポート情報とコードブック情報との２つに従って、ビームに対する測定結果をフィードバックする時に使用すべきコードブックを確定することができる。
【００５９】
さらにシグナリングオーバーヘッドを減少し且つ柔軟性を向上するために、本発明のもう１つの例示によれば、送信部５４０で移動局に送信される情報は、少なくとも２つの部分を含む。具体的に、移動局に送信される情報は、第一リソース情報を含んでもよく、前記第一リソース情報は、選択された少なくとも一つの参照信号リソースのリソース番号リストと、移動局によりその測定結果を報告する必要があるビームの数とを指示する。また、移動局に送信される情報は、第二リソース情報を含んでもよい。第二リソース情報は、第一リソース情報に含まれるリソース番号で表される各参照信号の送信リソース情報を含み、その中に、送信リソース情報は、参照信号に対応するビームを送信する時間、周波数又はコーディングリソースの情報であってもよい。第二リソース情報は、予め設定される複数の参照信号リソースの送信リソース情報のみを含んでもよい。
【００６０】
また、第一リソース情報は、全ての参照信号リソースに適用する情報を含んでもよく、且つ第二リソース情報は、特定移動局について選択される参照信号リソースのみに適用する情報を含んでもよい。例えば、基地局によって設定される測定窓が全ての参照信号リソースに適用する時に、第一リソース情報が上記測定窓情報を含んでもよく、基地局によって設定される測定窓が特定移動局について選択される参照信号リソースのみに適用する時に、第二リソース情報が上記測定窓情報を含んでもよい。
【００６１】
類似的に、ビームを送信するアンテナポートと移動局でビームに対する測定結果をフィードバックする時に使用すべきコードブックとが全ての参照信号リソースに適用する時に、第一リソース情報が上記ポート情報とコードブック情報とを含んでもよく、ビームを送信するアンテナポートと移動局でビームに対する測定結果をフィードバックする時に使用すべきコードブックが特定移動局について選択される参照信号リソースのみに適用する時に、第二リソース情報が上記ポート情報とコードブック情報とを含んでもよい。
【００６２】
また、選択的に、送信部５４０で移動局に送信される情報は、臨時リソース情報を含んでもよく、前記臨時リソース情報は、前記第一リソース情報と前記第二リソース情報とに対する臨時変更を指示する。例えば、必要がある時に、臨時リソース情報は、測定窓に対するリセットを指示してもよい。各ユーザーについて臨時リソース情報を送信してもよい。代わりに、各セル又は特定のユーザーセットについて臨時リソース情報を送信してもよい。また、本発明の１つの例示によれば、ＲＲＣシグナリングによって、第一リソース情報と第二リソース情報とを送信し、且つ頻度がＲＲＣシグナリングより高いＤＣＩシグナリングの送信によって、臨時リソース情報を送信してもよい。
【００６３】
本発明の上記実施例の基地局によれば、各移動局の方向に基づいて、参照信号をプリコーディングして参照信号に対応するビームを生成し、且つ生成されるビームを送信するための少なくとも１つの参照信号リソースを該移動局に通知する。各移動局は、基地局が少なくとも１つの参照信号リソースを使用して送信する、該移動局についてのビームに従って、各ビームのゲインを測定することで、より正確なチャネル推定結果を取得できる。また、基地局は、該移動局についてのビームを送信するための少なくとも１つの参照信号リソースのみを該移動局に通知するので、各ビームのゲインの測定を実現するために必要なシグナリングオーバーヘッドを減少できる。
【００６４】
以下、図６を参照しながら、本発明の実施例による移動局を記述する。図６は、本発明の実施例による移動局６００のブロック図を示す。図６に示すように、移動局６００は、受信部６１０、測定部６２０、送信部６３０を含む。これらの３つの部の他に、移動局６００は、他の手段を含んでもよく、例えば、データ信号や制御信号に対して各種の処理を行う手段を含んでもよいが、これらの手段は、本発明の実施例の内容に関係がないので、ここで、それらの図示と記述とを省略する。また、本発明の実施例による移動局６００が実行する下記操作の詳細は、上文で図４を参照して記述した詳細と同じであるので、ここで、重複を回避するために、同じ詳細の記述を省略する。
【００６５】
受信部６１０は、該移動局のための少なくとも１つの参照信号リソースを指示する情報を基地局から受信し、その中に、前記少なくとも１つの参照信号リソースは、基地局によって予め設定される複数の参照信号リソースから選択されるものである。測定部６２０は、受信部６１０から受信された情報に基づいて、前記少なくとも１つの参照信号リソースを使用して送信されるビームを測定して、測定結果を生成する。例えば、選択される参照信号リソースを指示する情報は、該参照信号リソースに対応する時間リソース配置、周波数リソース配置、及び／又はコーディングリソース配置を含んでもよい。測定部６２０は、受信された情報に指示される時間リソース配置、周波数リソース配置、及び／又はコーディングリソース配置に従って、基地局によって相応のリソース上で送信される参照信号に対応するビームを測定する。
【００６６】
上記のように、本発明の１つの例示によれば、移動局のための少なくとも１つの参照信号リソースを指示する情報は、第一リソース情報と第二リソース情報とを含んでもよい。この場合に、測定部６２０は、まず、第一リソース情報に従って、測定の必要がある参照信号リソースのリソース番号を確定し、且つ該リソース番号に従って、第二リソース情報の中で該番号に対応する参照信号リソースの具体情報を取得する。
【００６７】
また、本発明のもう１つの例示によれば、測定部６２０は、測定モジュールと統計的処理モジュールとを含む。測定モジュールは、参照信号リソースごとに、該参照信号リソースを使用して送信される参照信号を複数回測定することで、複数の測定値を取得してもよい。そして、統計的処理モジュールは、取得される複数の測定値を統計的処理することで、該参照信号リソースによって送信されるビームの最終の測定結果を計算する。取得される複数の測定値を平均化して、測定結果を取得してもよい。代わりに、複数の測定値に対して重み付き加算などの処理を行って、測定結果を取得してもよい。また、移動局６００は、所定の周期で、受信部６１０で受信された情報に指示される特定周波数上でのビームを複数回測定してもよい。
【００６８】
移動局で統計的処理される複数の測定結果が同じビームの測定結果であることを確保するために、受信部６１０で受信された情報は、複数の測定窓の配置を指示する測定窓情報を含んでもよい。上記のように、１つの測定窓において、少なくとも１つの参照信号リソースを使用して送信されるビームが不変である。統計的処理モジュールは、参照信号リソースごとに、同じ測定窓において取得される複数の測定値に対して統計的処理することで、該参照信号リソース上での参照信号の測定結果を生成し、且つ、異なる測定窓において取得される複数の測定値については統計的処理しない。また、好ましくは、測定部は、消去モジュールを含んでもよい。参照信号リソースを使用して送信されるビームに対する測定回数が前記測定窓情報に指示される測定回数上限に到達する時に、消去モジュールは、測定値の履歴データを消去し、それで、新たな測定窓においてビームの測定結果への影響を回避する。
【００６９】
本発明のもう１つの例示によれば、受信部６１０で受信された情報は、統計的処理指示情報を含んでもよく、前記統計的処理指示情報は、移動局が各ビームの複数の測定値に対して統計的処理するか否かを指示する。例えば、統計的処理指示情報が統計的処理しないように指示する時に、測定部６２０は、該情報に従って、各ビームの複数の測定値に対して何れかの形式の統計的処理を行わないようにしてもよい。
【００７０】
送信部６３０は、測定結果を基地局に送信する。本発明の１つの例示によれば、受信部６１０で受信された情報は、ポート情報を含んでもよく、前記ポート情報は、参照信号に対応するビームを送信するためのアンテナポートを指示する。移動局は、ポート情報に従って、ビームを送信するためのアンテナポートを確定し、そして、基地局に測定結果を送信するためのコードブックをさらに確定する。また、本発明のもう１つの例示によれば、受信部６１０で受信された情報は、コードブック情報を含んでもよい。同一のアンテナポートに対して異なるコードブックが存在する時に、移動局は、ポート情報とコードブック情報とを使用して、測定結果を送信するためのコードブックを確定する。送信部６３０は、確定されるコードブックを使用して基地局に測定結果を送信する。
【００７１】
本発明の上記実施例による移動局では、全ての参照信号リソースを使用して送信されるビームを測定する必要がなく、その自分と相関の参照信号リソースを使用して送信される各ビームのみを測定するので、移動局は、大量な計算を行わなくても、各ビームに対する正確のチャネル推定結果を取得することができる。測定されるビームが減少するので、移動局は、基地局に報告する必要がある測定結果（例えば、チャネル状態情報）も相応的に減少する。
【００７２】
上記基地局５００と移動局６００の操作は、ハードウェアで実現してもよく、プロセッサによって実行されるソフトウェアモジュールで実現してもよく、さらに、両者を組み合わせて実現してもよい。
【００７３】
ソフトウェアモジュールは、任意のフォーマットの記憶媒体に配置してもよく、例えばＲＡＭ（ランダムアクセスメモリ）、フラッシュメモリ、ＲＯＭ（リードオンリーメモリー）、ＥＰＲＯＭ（消去可能プログラム可能ＲＯＭ）、ＥＥＰＲＯＭ（電気消去可能プログラム可能ＲＯＭ）、レジスター、ハードディスク、リムーバブルディスク、及びＣＤ−ＲＯＭに配置してもよい。
【００７４】
プロセッサがこの記憶媒体に情報を書き込む又はこの記憶媒体から情報を読み出すように、この記憶媒体をプロセッサに接続する。この記憶媒体は、プロセッサに設置されてもよい。この記憶媒体とプロセッサとは、ＡＳＩＣに配置されてもよい。このＡＳＩＣは、基地局５００と移動局６００とに配置されてもよい。この記憶媒体とプロセッサとは、ディスクリート部品として、基地局５００と移動局６００とに配置されてもよい。
【００７５】
このため、上記実施例を使用して本発明を詳しく説明したが、当業者にとって、本発明は、説明した実施例に限定しない。本発明は、請求の範囲によって限定される本発明の範囲を逸脱しない場合に、修正の模式や変更の模式として実現することができる。このため、明細書の記述は、あくまで例示を説明するものであり、且つ、本発明に制限の意味を与えない。
【図１】
2016182072.tif 000003
【図２】
2016182072.tif 000004
【図３】
2016182072.tif 000005
【図４】
2016182072.tif 000006
【図５】
2016182072.tif 000007
【図６】
2016182072.tif 000008
【国際調査報告】
2016182072.tif 000009
2016182072.tif 000010
2016182072.tif 000011
2016182072.tif 000012